(57)【特許請求の範囲】
【請求項１】
シリンジに接続可能な連通口部と、容器本体と、該容器本体の内部と前記連通口部を連通する連通通路を備え、該連通通路に除菌フィルターが設けられてなる輸液容器において、連通口部がシリンジの先端チップを貫通可能なスリットの設けられたゴム栓で閉鎖されるとともに、連通通路が除菌フィルターより容器本体側で容易に開放可能な閉鎖手段で閉鎖された輸液容器であって、
前記閉鎖手段が、フィルムであり、該フィルムが連通通路を構成する連通通路部の内壁に設けられた環状凸部の容器本体側の面に弱溶着されてなることを特徴とする輸液容器。
【請求項２】
連通口部と連通通路部の間に除菌フィルターが挟持されてなることを特徴とする請求項１に記載の輸液容器。
【請求項３】
前記環状凸部における前記フィルムが設けられた面の反対面に前記除菌フィルターを備えたことを特徴とする請求項１または２に記載の輸液容器。
【発明の詳細な説明】
【０００１】
【発明の属する技術分野】
本発明は、容器本体の内部に薬液を無菌的に注入することのできる輸液容器に関する。
【０００２】
【従来の技術】
熱により変質してしまう例えばビタミン剤などの薬液は、高圧蒸気滅菌が出来ないため、予め輸液容器に収容しておくことができず、従来、輸液治療時に輸液容器の薬液に混注して使用している。薬液を輸液容器に混注する場合、従来、薬液排出ポートのゴム栓に注射針を刺して混注する方法が採用されているが、このような操作は無菌的操作が難しく、細菌混入の虞があった。
そこで、無菌的に薬液を混注することが可能なものとして、その混注口（薬液注入ポート）が、筒状の口部材と、この口部材を密封するゴム栓体と、刺針部と、この刺針部と連通され或いは一体成形されるハウジングと、このハウジングによって支持された除菌フィルタと、収容カバー、とからなる医療用容器が提案されている（特開平９−１９４８０号公報）。しかしながら、このものは、ゴム栓を刺通することによるコアリングの発生や、刺針部を移動させる構造に起因する薬液注入ポートの大型化、部品点数が多いことによる高コスト等の欠点を有している。
【０００３】
【発明が解決しようとする課題】
本発明は、如上の事情に鑑みてなされたもので、薬液を無菌的に注入可能であり、コアリングの発生が無く、部品点数が少なく、コンパクトな構造の輸液容器を提供することを目的とする。
【０００４】
【課題を解決するための手段】
本発明者は上記課題を解決するために、鋭意検討の結果、口部材を密封するゴム栓をスリット入りのゴム栓にすることにより上記課題を解決できることに想到し、本発明を完成した。
すなわち本発明は、シリンジに接続可能な連通口部と、容器本体と、該容器本体の内部と前記連通口部を連通する連通通路を備え、該連通通路に除菌フィルターが設けられてなる輸液容器において、連通口部がシリンジの先端チップを貫通可能なスリットの設けられたゴム栓で閉鎖されるとともに、連通通路が除菌フィルターより容器本体側で容易に開放可能な閉鎖手段で閉鎖されたことを特徴とする輸液容器に関する。ここで、閉鎖手段としては、連通通路を構成する連通通路の内壁に設けられた環状凸部の容器本体側の面にフィルムが弱溶着されてなる構成が好ましく、除菌フィルターは、連通口部と連通通路部の間に挟持されてなる構成が好ましい。
【０００５】
【発明の実施の形態】
本発明の実施例を図面に基づいて説明する。
図１は本発明の実施例にかかる輸液容器を示す平面図であり、図２は図１の要部拡大断面図、図３は図２の連通口部にシリンジの先端チップを挿着した状態を示す図である。
図１および図２に示すように、本発明の輸液容器は、シリンジ（図示していない）に接続可能な連通口部２と、容器本体１と、この容器本体１の内部と連通口部２を連通する連通通路３１を備え、この連通通路３１に除菌フィルター４が設けられてなる輸液容器において、連通口部２がシリンジの先端チップを貫通可能なスリット５１の設けられたゴム栓５で閉鎖されるとともに、連通通路３１が、除菌フィルター４より容器本体１側で、容易に開放可能な閉鎖手段６で閉鎖されたことを特徴とする。
【０００６】
容器本体１は、一般にポリエチレンやポリプロピレン、ポリエステル、ポリ塩化ビニル、エチレン−酢酸ビニル共重合体等で形成された袋体であり、その内部にはアミノ酸やブドウ糖液、電解質液、生理食塩水等の薬液が収容される。この容器本体１の先端側には、連通通路部３を介して連通口部２が接続されている。また、容器本体の基端側には、排出口７が設けられている。
【０００７】
連通口部２は一般にポリエチレンやポリプロピレン、ポリエステル、ポリアミド等で形成された筒状部材からなり、その内腔２１はゴム栓５で液密に閉鎖されている。連通口部２の内壁にはその先端と基端にそれぞれ相対的に背の低い環状凸部２２と、相対的に背の高い環状凸部２３が形成されており、ゴム栓５は内壁と環状凸部２２、２３で囲まれた空間に液密に装着されている。環状凸部２３は図２に示すように別体として形成し一体化したものであってもよい。ゴム栓５にはその略中央部に閉じたスリット５１が設けられており、スリット５１はシリンジの先端チップが貫通可能な大きさに形成されている。尚、２４は連通口部２の汚染を防ぐための保護シールであり、保護シール２４としては、一般に滅菌紙やアルミフィルム、プラスチックフィルムなどが採用可能である。
【０００８】
連通通路３１は一般に連通口部２と同様の材料で筒状に形成された連通通路部３の内腔であり（連通通路部３は図２では２部品を溶着して形成している）、この連通通路部３は熱溶着などの方法により連通口部２と一体的に接続されている。連通通路３１は連通口部２と容器本体１の内部を連通する通路であり、連通通路部３の内壁にはその先端（連通口部２との接続端）に近接して環状凸部３２が設けられている。環状凸部３２はその基端側（容器本体１側）が軸と直交する平面になっており、この基端側平面には閉鎖手段６としてのフィルムが容易に開放可能に取り付けられている。環状凸部３２の基端側平面には、図２に示すような、環状リブ３２１を設け、この環状リブ３２１にフィルム６を溶着するようにしてもよい。閉鎖手段６としては、フィルムの他に逆止弁も採用可能であるが（但し、連津閏路部３の構造を変える必要がある）、耐薬品性を有するとともに環状凸部３２に直接、または環状凸部３２に設けた環状リブ３２１に容易に剥離可能に溶着されたフィルムが好ましい。このようなフィルムの形成材料としては、連通通路部３の形成材料とこれと相溶性を有しない樹脂とのポリマーブレンド、例えば連通通路部３の形成材料がポリエチレンの場合、ポリエチレンとポリプロピレンのポリマーブレンドが好適に採用される。このときのポリエチレンとポリプロピレンのブレンド比率は３：７〜７：３が好ましい。
【０００９】
連通口部２と連通通路部３の間には除菌フィルター４が挟持されており、連通口部２から容器本体１に注入される薬液に混入した細菌や異物がここで除去されるようになっている。除菌フィルター４としては、メンブレンフィルターが好ましく採用されるが、デプスタイプ、アニソトロピックタイプ等のフィルターも採用可能である。メンブレンフィルターを使用した場合、除菌フィルター４の膜の孔径は細菌の透過を阻止できる０．４５μｍ以下にするのがよく、好ましくは０．２２μｍ以下である。除菌フィルター４の形成材料としては、酢酸セルロースや再生セルロース、セルロースエステル、ポリアミド、ポリテトラフルオロエチレン、ポリオレフィン等が採用可能である。
【００１０】
次に、本発明の輸液容器の使用について説明する。
先ず、図２に示すような輸液容器の連通口部２から保護シール２４を取り除き、連通口部２のゴム栓５のスリット５１に、図３に示すように、シリンジＳの先端チップＣを挿通する。このとき、先端チップＣはゴム栓５のスリットを貫通し、その先端が連通通路３１に露出される。次に、シリンジＳのプランジャＰを押して中に充填されていたビタミン剤などの薬液を注出すると、薬液は除菌フィルター４を透過して閉鎖手段６（フィルム）に達し、ゴム栓５と閉鎖手段６の間の空間が薬液で満たされる。すると閉鎖手段６にはプランジャＰの押圧力と同じ押圧力がかかるので、閉鎖手段６が環状リブ３２１から剥離してシリンジＳの内部と容器本体１の内部が連通し、シリンジＳ内の薬液が容器本体に注入される。シリンジＳの薬液の注入が終了したら、ゴム栓５からシリンジＳの先端チップＣを外し、最後に排出口７に例えば輸液セットやカテーテルを接続すれば、混注された容器本体１の薬液を患者に投与することができる。
【００１１】
【発明の効果】
以上述べたように、本発明によれば、以下のような効果が期待できる。薬液連通路に除菌フィルターを設けているので薬液を無菌的に注入可能である。また、連通口部をスリット入りのゴム栓で閉鎖しスリットにシリンジの先端チップを挿通するようになっているので、コアリングの発生が無い。また、部品点数が少ないので、コンパクトな構造にすることができる。
【図面の簡単な説明】
【図１】本発明の実施例にかかる輸液容器を示す平面図である。
【図２】図1の要部拡大断面図である。
【図３】図２の連通口部にシリンジの先端チップを挿着した状態を示す図である。
【符号の説明】
１  容器本体
２  連通口部
２１  内腔
２２  環状凸部
２３  環状凸部
２４  保護シール
３  連通通路部
３１  連通通路
３２  環状凸部
３２１  環状リブ
４  除菌フィルター
５  ゴム栓
５１  スリット
６  閉鎖手段
７  排出口
Ｓ  シリンジ
Ｃ  先端チップ
Ｐ  プランジャ
【図１】
0003820889.tif 000002
【図２】
0003820889.tif 000003
【図３】
0003820889.tif 000004